(57)【要約】【課題】  子供や一般市民であっても、オゾンの紫外線遮蔽効果を簡単に確認することができるとともに、オゾン層の破壊メカニズムを理解しその現象を目で見て実感できるオゾン層破壊による紫外線透過シミュレート装置およびシミュレート方法を提供すること。【解決手段】  容器１と；紫外線光源２と；紫外線検知器３と；オゾン検知器４とを具備して構成されており、給排気機構11により注入口11ａから容器１内にオゾンガスＧが供給されて充満した状態で、前記紫外線光源２から紫外線検知器３に向けて紫外線が照射される一方、給排気機構11により容器１内のオゾン濃度を減少させることが可能であって、前記紫外線検知器３からの出力によって、前記容器１内のオゾン濃度の大小によるオゾンガスＧ内における紫外線透過量の変化を確認できるようにするという技術的手段を採用する。【選択図】  図１
2009042195.tif 000002
【特許請求の範囲】
【請求項１】
オゾン層破壊による紫外線透過量の変化を模擬的にシミュレートするための装置であって、
パイプ状の中空部材であって、注入口11ａおよび排出口11ｂにより内部にオゾンガスＧを充填および排出可能な給排気機構11を有し、かつ、外部からの光を遮断せる容器１と；
この容器１の直管部の一端縁に配設されて、紫外線を照射可能な光源装置であって、紫外線の波長領域のうち、波長が３２０ｎｍ〜４００ｎｍであるＵＶ−Ａ波長領域と、波長が２８０ｎｍ〜３２０ｎｍであるＵＶ−Ｂ波長領域と、波長が２８０ｎｍ未満であるＵＶ−Ｃ波長領域との各波長領域の紫外線をそれぞれ照射可能な紫外線光源２と；
前記容器１の直管部において前記紫外線光源２に対向する他端縁に配設され、前記紫外線光源２から照射された特定波長の紫外線の光量を検知可能な紫外線検知器３と；
容器１内におけるオゾンガスＧの存在および濃度を検知可能なオゾン検知器４とを具備して構成されており、
前記給排気機構11により注入口11ａから容器１内にオゾンガスＧが供給されて充満した状態で、前記紫外線光源２から紫外線検知器３に向けて紫外線が照射される一方、給排気機構11により容器１内のオゾン濃度を減少させることが可能であって、
前記紫外線検知器３からの出力によって、前記容器１内のオゾン濃度の大小によるオゾンガスＧ内における紫外線透過量の変化を確認できることを特徴とするオゾン層破壊による紫外線透過シミュレート装置。
【請求項２】
紫外線検知器３が、短絡電流を出力するフォトダイオードであって、出力電流の変化をデジタルマルチメータを介して確認できることを特徴とする請求項１記載のオゾン層破壊による紫外線透過シミュレート装置。
【請求項３】
紫外線検知器３のフォトダイオードは、ＵＶ−Ａ、ＵＶ−Ｂ、ＵＶ−Ｃの波長領域に対応した３つ設けられていることを特徴とする請求項２記載のオゾン層破壊による紫外線透過シミュレート装置。
【請求項４】
容器１の直管部の端縁にはフランジ12が形成されており、このフランジ12の一方には着脱自在で無色透明なサイトグラスが配設され、このサイトグラスの外側に紫外線光源２が設置されていることを特徴とする請求項１〜３の何れか一つに記載のオゾン層破壊による紫外線透過シミュレート装置。
【請求項５】
容器１のフランジ12の一方には、紫外線検知器３が着脱自在に設置されており、紫外線検知器３ごと交換可能に構成されていることを特徴とする請求項１〜４の何れか一つに記載のオゾン層破壊による紫外線透過シミュレート装置。
【請求項６】
容器１がＴ字型のパイプ状部材であって、容器１の凸端部13の端縁にオゾン検知器４が配設されていることを特徴とする請求項１〜５の何れか一つに記載のオゾン層破壊による紫外線透過シミュレート装置。
【請求項７】
オゾンガスＧの発生装置が、熱陰極型の低圧水銀ランプであることを特徴とする請求項１〜６の何れか一つに記載のオゾン層破壊による紫外線透過シミュレート装置。
【請求項８】
オゾン層破壊による紫外線透過量の変化を模擬的にシミュレートするための方法であって、
パイプ状の中空部材であって、注入口11ａおよび排出口11ｂにより内部にオゾンガスＧを充填および排出可能な給排気機構11を有し、かつ、外部からの光を遮断せる容器１と；
この容器１の直管部の一端縁に配設されて、紫外線を照射可能な光源装置であって、紫外線の波長領域のうち、波長が３２０ｎｍ〜４００ｎｍであるＵＶ−Ａ波長領域と、波長が２８０ｎｍ〜３２０ｎｍであるＵＶ−Ｂ波長領域と、波長が２８０ｎｍ未満であるＵＶ−Ｃ波長領域との各波長領域の紫外線をそれぞれ照射可能な紫外線光源２と；
前記容器１の直管部において前記紫外線光源２に対向する他端縁に配設され、前記紫外線光源２から照射された特定波長の紫外線の光量を検知可能な紫外線検知器３と；
容器１内におけるオゾンガスＧの存在および濃度を検知可能なオゾン検知器４とを具備して構成する装置を用いて、
前記給排気機構11により注入口11ａから容器１内にオゾンガスＧを供給して充満せしめる一方、
前記紫外線光源２から紫外線検知器３に向けて紫外線を照射し、然る後、給排気機構11により容器１内のオゾン濃度を減少せしめ、
前記紫外線検知器３からの出力によって、前記容器１内のオゾン濃度の大小によるオゾンガスＧ内における紫外線透過量の変化を確認することを特徴とするオゾン層破壊による紫外線透過シミュレート方法。
【請求項９】
注入口11ａから空気を注入することによって容器１内のオゾンガスＧを希釈して濃度を減少せしめることを特徴とする請求項８記載のオゾン層破壊による紫外線透過シミュレート方法。
【請求項１０】
注入口11ａから塩素原子を注入することによって容器１内のオゾンガスＧを破壊して濃度を減少せしめることを特徴とする請求項８記載のオゾン層破壊による紫外線透過シミュレート方法。
【請求項１１】
注入口11ａからフロンガスを注入することによって容器１内のオゾンガスＧを破壊して濃度を減少せしめることを特徴とする請求項８記載のオゾン層破壊による紫外線透過シミュレート方法。
【発明の詳細な説明】
【技術分野】
【０００１】
本発明は、オゾン層破壊による紫外線の影響についての理解を深めるための器具に関するものであり、更に詳しくは、子供や一般市民であっても、オゾンの紫外線遮蔽効果を簡単に確認することができるとともに、オゾン層の破壊メカニズムを理解しその現象を目で見て実感できるオゾン層破壊による紫外線透過シミュレート装置およびシミュレート方法に関するものである。
【背景技術】
【０００２】
周知のとおり、近年、地球の上空に存在するオゾン（Ｏ3）が、フロン（ＣＦＣｌ3、ＣＦ2Ｃｌ2）が紫外線によって分解して発生する塩素原子（Ｃｌ）や臭化メチル（ＣＨ3Ｂｒ）の分解によって発生する臭素原子（Ｂｒ）によって破壊され、オゾンホールを拡大しており、太陽からの有害な紫外線（ＵＶ光）が地上に到達して、人間のＤＮＡを傷つけ、皮膚ガン、白内障、免疫力の低下、皮膚の老化などを引き起こし、動物や植物にも悪影響を及ぼしている。
【０００３】
従来、かかる有害な紫外線による悪影響を少しでも回避するために、地上に届く紫外線量や照射強度を確認する手段として、紫外線反応によって色の変化を視覚的に認知したり、照射強度センサーからの信号による警告音から察知できるものが開示されている（例えば、特許文献１参照）。
【０００４】
このように、紫外線の有害性に対する関心は高いにもかかわらず、原因とされているオゾン層破壊そのものについての関心は小さく、自体が進行している実感が湧いてこないのが現状であり、オゾン層の破壊メカニズムや、オゾン層が破壊されるとどのような現象が起こるのかは一般には理解されていない。
【特許文献１】特開２００３−１３９６０９号公報（第２頁、図１−３）
【発明の開示】
【発明が解決しようとする課題】
【０００５】
本発明は、オゾン層破壊の理解を進めるうえで、上記問題があったことに鑑みて為されたものであり、子供や一般市民であっても、オゾンの紫外線遮蔽効果を簡単に確認することができるとともに、オゾン層の破壊メカニズムを理解しその現象を目で見て実感できるオゾン層破壊による紫外線透過シミュレート装置およびシミュレート方法を提供することを技術的課題とする。
【課題を解決するための手段】
【０００６】
本発明者が上記課題を解決するために採用した手段を添付図面を参照して説明すれば次のとおりである。
【０００７】
即ち、本発明は、オゾン層破壊による紫外線透過量の変化を模擬的にシミュレートするための装置であって、
パイプ状の中空部材であって、注入口11ａおよび排出口11ｂにより内部にオゾンガスＧを充填および排出可能な給排気機構11を有し、かつ、外部からの光を遮断せる容器１と；
この容器１の直管部の一端縁に配設されて、紫外線を照射可能な光源装置であって、紫外線の波長領域のうち、波長が３２０ｎｍ〜４００ｎｍであるＵＶ−Ａ波長領域と、波長が２８０ｎｍ〜３２０ｎｍであるＵＶ−Ｂ波長領域と、波長が２８０ｎｍ未満であるＵＶ−Ｃ波長領域との各波長領域の紫外線をそれぞれ照射可能な紫外線光源２と；
前記容器１の直管部において前記紫外線光源２に対向する他端縁に配設され、前記紫外線光源２から照射された特定波長の紫外線の光量を検知可能な紫外線検知器３と；
容器１内におけるオゾンガスＧの存在および濃度を検知可能なオゾン検知器４とを具備して構成されており、
前記給排気機構11により注入口11ａから容器１内にオゾンガスＧが供給されて充満した状態で、前記紫外線光源２から紫外線検知器３に向けて紫外線が照射される一方、給排気機構11により容器１内のオゾン濃度を減少させることが可能であって、
前記紫外線検知器３からの出力によって、前記容器１内のオゾン濃度の大小によるオゾンガスＧ内における紫外線透過量の変化を確認できるようにするという技術的手段を採用することによって、オゾン層破壊による紫外線透過シミュレート装置を完成させた。
【０００８】
また、本発明は、上記課題を解決するために、必要に応じて上記手段に加え、紫外線検知器３を、短絡電流を出力するフォトダイオードにして、出力電流の変化をデジタルマルチメータを介して確認できるようにするという技術的手段を採用した。
【０００９】
更にまた、本発明は、上記課題を解決するために、必要に応じて上記手段に加え、紫外線検知器３のフォトダイオードを、ＵＶ−Ａ、ＵＶ−Ｂ、ＵＶ−Ｃの波長領域に対応した３つ設けるという技術的手段を採用した。
【００１０】
更にまた、本発明は、上記課題を解決するために、必要に応じて上記手段に加え、容器１の直管部の端縁にはフランジ12を形成し、このフランジ12の一方には着脱自在で無色透明なサイトグラスを配設して、このサイトグラスの外側に紫外線光源２を設置するという技術的手段を採用した。
【００１１】
更にまた、本発明は、上記課題を解決するために、必要に応じて上記手段に加え、容器１のフランジ12の一方には、紫外線検知器３を着脱自在に設置して、紫外線検知器３ごと交換可能に構成するという技術的手段を採用した。
【００１２】
更にまた、本発明は、上記課題を解決するために、必要に応じて上記手段に加え、容器１がＴ字型のパイプ状部材であって、容器１の凸端部13の端縁にオゾン検知器４を配設するという技術的手段を採用した。
【００１３】
更にまた、本発明は、上記課題を解決するために、必要に応じて上記手段に加え、オゾンガスＧの発生装置を、熱陰極型の低圧水銀ランプにするという技術的手段を採用した。
【００１４】
また、本発明は、オゾン層破壊による紫外線透過量の変化を模擬的にシミュレートするための方法であって、
パイプ状の中空部材であって、注入口11ａおよび排出口11ｂにより内部にオゾンガスＧを充填および排出可能な給排気機構11を有し、かつ、外部からの光を遮断せる容器１と；
この容器１の直管部の一端縁に配設されて、紫外線を照射可能な光源装置であって、紫外線の波長領域のうち、波長が３２０ｎｍ〜４００ｎｍであるＵＶ−Ａ波長領域と、波長が２８０ｎｍ〜３２０ｎｍであるＵＶ−Ｂ波長領域と、波長が２８０ｎｍ未満であるＵＶ−Ｃ波長領域との各波長領域の紫外線をそれぞれ照射可能な紫外線光源２と；
前記容器１の直管部において前記紫外線光源２に対向する他端縁に配設され、前記紫外線光源２から照射された特定波長の紫外線の光量を検知可能な紫外線検知器３と；
容器１内におけるオゾンガスＧの存在および濃度を検知可能なオゾン検知器４とを具備して構成する装置を用いて、
前記給排気機構11により注入口11ａから容器１内にオゾンガスＧを供給して充満せしめる一方、
前記紫外線光源２から紫外線検知器３に向けて紫外線を照射し、然る後、給排気機構11により容器１内のオゾン濃度を減少せしめ、
前記紫外線検知器３からの出力によって、前記容器１内のオゾン濃度の大小によるオゾンガスＧ内における紫外線透過量の変化を確認するという技術的手段を採用したことによって、オゾン層破壊による紫外線透過シミュレート方法を完成させた。
【００１５】
また、本発明は、上記課題を解決するために、必要に応じて上記手段に加え、注入口11ａから空気を注入することによって容器１内のオゾンガスＧを希釈して濃度を減少せしめるという技術的手段を採用した。
【００１６】
更にまた、本発明は、上記課題を解決するために、必要に応じて上記手段に加え、注入口11ａから塩素原子またはフロンガスを注入することによって容器１内のオゾンガスＧを破壊して濃度を減少せしめるという技術的手段を採用した。
【発明の効果】
【００１７】
本発明にあっては、オゾンガスを充填および排出可能な給排気機構を有し、かつ、外部からの光を遮断せる容器と；この容器の直管部の一端縁に配設されて、紫外線を照射可能な紫外線光源と；前記容器の直管部に配設され、前記紫外線光源から照射された特定波長の紫外線の光量を検知可能な紫外線検知器と；容器内におけるオゾンガスの存在および濃度を検知可能なオゾン検知器とを具備してシミュレート装置を構成したことにより、前記給排気機構により注入口から容器内にオゾンガスを供給して充満せしめる一方、前記紫外線光源から紫外線検知器に向けて紫外線を照射し、然る後、給排気機構により容器内のオゾン濃度を減少せしめ、前記紫外線検知器からの出力によって、前記容器内のオゾン濃度の大小によるオゾンガス内における紫外線透過量の変化を確認することができる。
【００１８】
したがって、本発明によれば、子供や一般市民であっても、オゾンの紫外線遮蔽効果を簡単に確認することができるとともに、オゾン層の破壊メカニズムを理解しその現象を目で見て実感できることから、実用的利用価値は頗る高いと云える。
【発明を実施するための最良の形態】
【００１９】
本発明を実施するための最良の形態を具体的に図示した図面に基づいて更に詳細に説明すると、次のとおりである。
【００２０】
本発明の実施形態を図１から図１０に基づいて説明する。まず、本実施形態のシミュレート装置について説明する。図１中、符号１で指示するものは容器であって、この容器１は、パイプ状の中空部材であって、注入口11ａおよび排出口11ｂにより内部にオゾンガスＧを充填および排出可能な給排気機構11を有し、かつ、外部からの光を遮断することができる。
【００２１】
本実施形態では、容器１の本体として、ステンレス製（ＳＵＳ３０４）のＴ型のパイプを採用し、直管部およびＴ型の凸端部13の開口する各端縁にはフランジ12を形成する。そして、クランプチェーンやゴム製Ｏリングなどで密閉して外気が入らないようにするとともに、外部からの光も遮断する。
【００２２】
また、前記給排気機構11は、通常の圧力ポンプを用いると共に、注入口11ａおよび排出口11ｂには、ゴムチューブを取り付けるためのコネクタを溶接することができる。オゾンガスＧが室内に流れ出すと危険だからである。更にまた、後述する紫外線光源２側のフランジ12に取り付ける部材としては、無色透明なサイトグラス（石英ガラス）を採用することができ、紫外線の透過を遮断せずに、密閉性および強度に優れている。
【００２３】
また、符号２で指示するものは紫外線光源であり、この紫外線光源２は、前記容器１の直管部の一端縁に配設されて、紫外線を照射可能な光源装置であって、紫外線の波長領域のうち、波長が３２０ｎｍ〜４００ｎｍであるＵＶ−Ａ波長領域と、波長が２８０ｎｍ〜３２０ｎｍであるＵＶ−Ｂ波長領域と、波長が２８０ｎｍ未満であるＵＶ−Ｃ波長領域との紫外線をそれぞれ照射可能である。
【００２４】
本実施形態に用いる紫外線光源２は、例えば、以下の仕様のものを採用することができる。
ＵＶＰ社製  ８Ｗ  ＭＯＤＥＬ  ＵＶＭＬＳ−３８
３ＵＶ  ＡＳＳＥＭＢＬＹ
この光源は、３６５ｎｍ（ＵＶ−Ａに対応）、３０２ｎｍ（ＵＶ−Ｂに対応）、２５４ｎｍ（ＵＶ−Ｃに対応）の３種類の波長が違う紫外線の照射が可能である。なお、本実施形態の光源は出力が８Ｗであるが、自然界で太陽から照射される紫外線の強さは、１ｃｍ2あたり約１ｍＷ程度である。
【００２５】
更にまた、符号３で指示するものは紫外線検知器であり、この紫外線検知器３は、前記容器１の直管部において前記紫外線光源２に対向する他端縁に配設され、前記紫外線光源２から照射された特定波長の紫外線の光量を検知可能である。
【００２６】
本実施形態では、紫外線検知器３として、受光に対して短絡電流を出力するフォトダイオードを採用することができ、出力電流の変化をデジタルマルチメータを介して確認できる。このフォトダイオードとしては、例えば、浜松ホトニクス社製の単一波長検出用干渉フィルタ付Ｓｉフォトダイオード：Ｓ２６８４−２５４などを採用することができる。
【００２７】
また、紫外線検知器３のフォトダイオードを、ＵＶ−Ａ、ＵＶ−Ｂ、ＵＶ−Ｃの波長領域に対応する３つ設けることができ、それぞれ単一波長を検出するものを用いることができるとともに、容器１のフランジ12の一方に紫外線検知器３を着脱自在に設置して、紫外線検知器３ごと交換可能に構成することもできる。この際、ステンレス製板に穴を開け、紫外線検知器３の検出面が容器１の内部に固定されるようにフランジ12に取り付ける。
【００２８】
更にまた、符号４で指示するものはオゾン検知器であり、このオゾン検知器４は、前記容器１内におけるオゾンガスＧの存在および濃度を検知可能な機器である。
【００２９】
本実施形態では、このオゾン検知器４を気体採取器と気体検知管とから構成したものを採用することができ、具体的装置および仕様は、例えば、以下のとおりである。
気体採取器  ガステック社製  検知管式気体測定器  ＧＶ−１００Ｓ
真空方式／内容量１００ｍｌ
気体検知管  ガステック社製  オゾン  目盛範囲２０〜２００ｐｐｍ
【００３０】
なお、容器１をＴ字型のパイプ状部材で構成し、容器１の凸端部13の端縁に前記同様フランジ12を設け、当該オゾン検知器４を配設することが可能であり、直管部における紫外線の照射ルートを妨害しないようにできる。このように、オゾン検知器４を設けることにより、オゾンが無色透明な気体であり、かつ、容器１が遮光性部材で作製されていても、容器１内部にオゾンが存在することを明確にすることができる。
【００３１】
しかして、上記のように構成されたオゾン層破壊による紫外線透過量の変化を模擬的にシミュレートするための装置を用いて行うシミュレート方法について、以下に具体的に説明する。
【００３２】
まず、図２に示すように、前記給排気機構11により注入口11ａから容器１内にオゾンガスＧを供給して充満させていく。本実施形態では、オゾンガスＧの発生装置として、熱陰極型の低圧水銀ランプを採用する。
【００３３】
この水銀ランプは、極短波長の光と酸素との反応によってオゾンを発生させるものであり、本実施形態では、例えば、以下の仕様の装置を採用する。
セン特殊光源株式会社製  型名  ＵＶＬ２０Ｕ（＊）−３０
全長２１５ｍｍ、発光長１４０ｎｍ
【００３４】
具体的には、ガスボンベから乾燥空気をオゾン発生装置に送り込み、スイッチをＯＮにして５分間待機する。そして、５分後にスイッチをＯＦＦにして、クリップを外し、オゾンガスＧを容器１内に流す。ここで一旦、容器１内のオゾン濃度を測定して、オゾンが実際に存在しているかを確認するのが好ましい。こうして容器１内にオゾンガスＧが充満される（図３参照）。
【００３５】
次に、前記紫外線光源２から紫外線検知器３に向けて紫外線を照射する。本実施形態では、ＵＶ−Ａの波長領域として３６５ｎｍ、ＵＶ−Ｂの波長領域として３０２ｎｍ、ＵＶ−Ｃの波長領域として２５４ｎｍの紫外線をそれぞれ照射する。本実施形態では、容器１から排出するオゾンはオゾン分解触媒層14で分解され、無害な酸素になる。
【００３６】
然る後、給排気機構11により容器１内のオゾン濃度を減少せしめる（図４参照）。この際、本実施形態では、注入口11ａから空気を注入して、排出口11ｂから排気することにより、容器１内のオゾンガスＧを希釈することによって濃度を減少せしめる。
【００３７】
あるいは、他の実施例としては、図５に示すように、本実施形態では、注入口11ａから塩素原子またはフロンガスを注入することによって、容器１内のオゾンガスＧを破壊して濃度を減少せしめることもできる。
【００３８】
そして、前記紫外線検知器３からの出力によって、前記容器１内のオゾン濃度の大小（減少過程）によるオゾンガスＧ内における紫外線透過量の変化を確認することができる。本実施形態では、紫外線検知器３からの出力が、フォトダイオードによる短絡電流であって、この短絡電流をデジタルマルチメータにより測定することによって確認することができる。
【００３９】
〔シミュレート結果および考察〕
本実施形態によるシミュレート方法を実施したことにより得られた結果および考察を図６〜図１０に示すグラフに基づいて説明する。図６は、オゾン濃度の時間による減衰特性であり、オゾン発生装置の電源を切って、容器１内への空気の流し始め（注入）を０秒として時間経過によるオゾン濃度の現象を示したものである。
【００４０】
図７のグラフからわかるように、短波長のＵＶ−Ｃ領域にある２５４ｎｍとＵＶ−Ｂ領域にある３０２ｎｍは、オゾン濃度が高い状態では、オゾン濃度が低い状態と比べると、紫外線の透過による短絡電流値が低い値を示し、オゾン濃度が低くなるにつれて紫外線の透過が増えるため、電流値が増えていることがわかる。
【００４１】
また、図７中、２５４ｎｍ（ＵＶ−Ｃ）の紫外線は、生物への影響が一番大きく危険な紫外線である。この領域の紫外線は太陽から放射された後は成層圏のオゾン層によってほぼ吸収されていまうため、地上にはほとんど届かない。このことは、図７中、オゾン濃度が増加するとともに、紫外線の透過によるフォトダイオードの短絡電流値が大幅に減少していることからもわかる。
【００４２】
オゾンを注入後、対応して変化する紫外線吸収特性を示す図８のグラフから、短絡電流の最低値は０．０１５４（μＡ）となった。この状態では、紫外線はほとんど透過していないと言える。また、オゾン注入後、すぐ反応が起こったため、紫外線とオゾンとの相互作用は反応性が高いことがわかった。
【００４３】
また、図７および図９には、ＵＶ−Ｂ領域である３０２ｎｍの紫外線のオゾン層による紫外線吸収特性も示している。３０２ｎｍは、２５４ｎｍの紫外線の透過特性と比較すると、短絡電流の減少幅は、３０２ｎｍの紫外線の方が小さいことがわかる。つまり、オゾンを注入してもオゾンは紫外線を吸収はするが、全て吸収するのではなくＵＶ−Ｂが地上にまで達するため、日焼け等の原因となっている。なお、日常の中でＵＶ−Ｂは地上まで到達してはいるが、オゾン層のオゾン濃度が薄くなると、地上への照射量が増加し、日焼けより症状が悪化し、皮膚ガンや白内障等の発症率が高くなる。
【００４４】
また、図７および図１０には、波長３６５ｎｍの紫外線（ＵＶ−Ａ）に対する模擬オゾン層の紫外線吸収特性を示す。ＵＶ−Ａは地上に到達する太陽光線中の紫外線の約９０〜９５％を占める紫外線であり、人体および地上の生態系への損傷は小さく、成層圏オゾンには吸収されない。
【００４５】
図７によれば、紫外線吸収特性はオゾン濃度が高い状態でも、オゾン濃度が低い状態でもフォトダイオードから出力される電圧の値はほとんど変化していない。これは、ＵＶ−Ａ領域の３６５ｎｍの紫外線はオゾン濃度が変化しても、そのオゾン層透過特性がほとんど影響を受けないことを意味している。
【００４６】
本発明は、概ね上記のように構成されるが、本発明は図示の実施形態に限定されるものでは決してなく、「特許請求の範囲」の記載内において種々の変更が可能であって、例えば、紫外線検知器３はフォトダイオードに限らず、紫外線照射もより変色なする紫外線感知ビーズを採用することもできる。また、紫外線光源２として太陽光と干渉フィルタを組み合わせたシステムを用いることもできる。更に、オゾン発生器４は水銀ランプに限らず、プラズマ放電式にすることもでき、これら何れのものも本発明の技術的範囲に属する。
【図面の簡単な説明】
【００４７】
【図１】本発明の実施形態の装置を表わす概略図である。
【図２】本発明の実施形態の方法手順を表わす概略図である。
【図３】本発明の実施形態の方法手順を表わす概略図である。
【図４】本発明の実施形態の方法手順を表わす概略図である。
【図５】本発明の実施形態の方法手順の変形例を表わす概略図である。
【図６】本発明の実施形態におけるオゾン濃度の減衰特性を表わすグラフである。
【図７】本発明の実施形態におけるオゾン濃度と紫外線透過との関係を表わすグラフである。
【図８】本発明の実施形態におけるＵＶ−Ｃ波長領域の紫外線透過の時間特性を表わすグラフである。
【図９】本発明の実施形態におけるＵＶ−Ｂ波長領域の紫外線透過の時間特性を表わすグラフである。
【図１０】本発明の実施形態におけるＵＶ−Ａ波長領域の紫外線透過の時間特性を表わすグラフである。
【符号の説明】
【００４８】
１    容器
11    給排気機構
11ａ  注入口
11ｂ  排出口
12    フランジ
13    凸端部
14    オゾン分解触媒層
２    紫外線光源
３    紫外線検知器
４    オゾン検知器
Ｇ    オゾンガス
【図１】
2009042195.tif 000003
【図２】
2009042195.tif 000004
【図３】
2009042195.tif 000005
【図４】
2009042195.tif 000006
【図５】
2009042195.tif 000007
【図６】
2009042195.tif 000008
【図７】
2009042195.tif 000009
【図８】
2009042195.tif 000010
【図９】
2009042195.tif 000011
【図１０】
2009042195.tif 000012